(57)【要約】【課題】  一旦チャージされた電子マネー機能付きＩＣカードの残額の払戻しを可能にする電子マネー精算システムを提供する。【解決手段】  電子マネー機能付きＩＣカード１０または携帯端末２０の管理を行うサーバ４０のサーバ側払戻手段４１０は、カード情報データベース４２０によりカード識別コード４２１および残額４２３を管理し、チャージ精算端末３０からの払戻要求に対して、払戻可能な金額および手数料を表示させ、チャージ精算端末３０から払戻額を入力させる。サーバ側払戻手段４１０は、払戻額、手数料額により、カード情報データベース４２０の残額４２３を更新するとともに、手数料データベース４３０により、取得した手数料額４３３を管理する。【選択図】  図１
2010086134.tif 000002
【特許請求の範囲】
【請求項１】
電子マネー機能付きＩＣカードと、ＩＣカード・リード/ライト機能を有する端末、前記端末と通信網を介して接続されたサーバで構成され、
前記サーバは、前記電子マネー機能付きＩＣカードの残額を格納する記憶手段と、
前記端末に前記残額からの払戻可能金額を表示させ、前記端末から払戻金額を受け取り、前記残額から前記払戻金額を差し引いた金額を前記記憶手段に格納するサーバ側払戻手段を有し、
前記端末は、前記払戻金額を精算する端末側払戻手段を有することを特徴とする電子マネー精算システム。
【請求項２】
前記サーバは、手数料額または手数料率を格納する手数料記憶手段と、
前記払戻可能金額に対応する前記手数料額または前記手数料率を前記端末に表示させ、前記端末からの前記払戻金額に対応する手数料額を、前記手数料記憶手段に格納する手数料処理手段と、
を更に有することを特徴とする請求項１記載の電子マネー精算システム。
【請求項３】
前記電子マネー機能付きＩＣカードは、電子マネー機能付きの携帯端末であることを特徴とする請求項１または請求項２に記載のＩＣカードチャージシステム。
【請求項４】
電子マネー機能付きＩＣカードに対してリード/ライト機能を有する端末と通信網を介して接続されたサーバであり、
前記電子マネー機能付きＩＣカードの残額を格納する記憶手段と、
前記端末に前記残額からの払戻可能金額を表示させ、前記端末から払戻金額を受け取り、前記残額から前記払戻金額を差し引いた金額を前記記憶手段に格納するサーバ側払戻手段を有することを特徴とするサーバ。
【請求項５】
前記サーバは、手数料額または手数料率を格納する手数料記憶手段と、
前記払戻可能金額に対応する前記手数料額または前記手数料率を前記端末に表示させ、前記端末からの前記払戻金額に対応する手数料額を、前記手数料記憶手段に格納する手数料処理手段と、
を更に有することを特徴とする請求項４記載のサーバ。
【請求項６】
コンピュータを、請求項４または請求項５記載のサーバとして機能させることを特徴とするプログラム。
【請求項７】
電子マネー機能付きＩＣカードからの払戻しを行う端末であって、
前記電子マネー機能付きＩＣカードに記憶されている残額を読み取り、
払戻可能金額を表示して払戻金額を入力させ、前記払戻金額を精算し、前記残額から前記払戻金額を差し引いた金額を残額として前記電子マネー機能付きＩＣカードに書き込むことを特徴とする端末。
【発明の詳細な説明】
【技術分野】
【０００１】
本発明は、電子マネー機能付きＩＣカードの精算システムに関する。
【背景技術】
【０００２】
近年、非接触型のＩＣカードを使用した電子マネーが、鉄道等の改札機、スーパーマーケット、コンビニエンスストア等で使用されるようになってきている。多くの電子マネーＩＣカードはプリペイド式であり、チャージ機によりユーザが所定の金額をチャージする方法や、残額が一定額を下回ると所定の金額が自動的にチャージされる方法等が採られており、さらに、使用実績によりチャージ額を変化させる方法も提案されている（特許文献１）。
【特許文献１】特開２００４−３６２３０７号公報
【発明の開示】
【発明が解決しようとする課題】
【０００３】
しかしながら、従来の電子マネー機能付きＩＣカードは、一旦チャージしたら払い戻すことができないという問題があった。
【０００４】
本発明は、このような課題に鑑みてなされたもので、その目的とするところは、一旦チャージされた電子マネー機能付きＩＣカードの残額の払戻しを可能にする電子マネー精算システムを提供することである。
【課題を解決するための手段】
【０００５】
前述した課題を解決するための第１の発明は、電子マネー機能付きＩＣカードと、ＩＣカード・リード/ライト機能を有する端末、前記端末と通信網を介して接続されたサーバで構成され、前記サーバは、前記電子マネー機能付きＩＣカードの残額を格納する記憶手段と、前記端末に前記残額からの払戻可能金額を表示させ、前記端末から払戻金額を受け取り、前記残額から前記払戻金額を差し引いた金額を前記記憶手段に格納するサーバ側払戻手段を有し、前記端末は、前記払戻金額を精算する端末側払戻手段を有することを特徴とする電子マネー精算システムである。
電子マネー機能付きＩＣカードは、電子マネー機能付きの携帯端末であってもよい。
【０００６】
また、前記サーバは、手数料額または手数料率を格納する手数料記憶手段と、前記払戻可能金額に対応する前記手数料額または前記手数料率を前記端末に表示させ、前記端末からの前記払戻金額に対応する手数料額を、前記手数料記憶手段に格納する手数料処理手段と、を更に有することが好ましい。
【０００７】
上記の構成により、ＩＣカードにチャージされている残額からの払戻しが可能になる。また、払戻しに対する手数料額を算出し、管理することが可能になる。
【０００８】
第２の発明は、電子マネー機能付きＩＣカードに対してリード/ライト機能を有する端末と通信網を介して接続されたサーバであり、前記電子マネー機能付きＩＣカードの残額を格納する記憶手段と、前記端末に前記残額からの払戻可能金額を表示させ、前記端末から払戻金額を受け取り、前記残額から前記払戻金額を差し引いた金額を前記記憶手段に格納するサーバ側払戻手段を有することを特徴とするサーバである。
また、前記サーバは、手数料額または手数料率を格納する手数料記憶手段と、前記払戻可能金額に対応する前記手数料額または前記手数料率を前記端末に表示させ、前記端末からの前記払戻金額に対応する手数料額を、前記手数料記憶手段に格納する手数料処理手段と、を更に有することが好ましい。
第３の発明は、コンピュータを、請求項４または請求項５記載のサーバとして機能させることを特徴とするプログラムである。
【発明の効果】
【０００９】
本発明によれば、一旦チャージされた電子マネー機能付きＩＣカードの残額の払戻しを可能にする電子マネー精算システムを提供するが可能である。
【発明を実施するための最良の形態】
【００１０】
以下、図面に基づいて本発明の好適な実施形態について詳細に説明する。
図１は、本実施の形態の電子マネー精算システム１のシステム構成を示す図である。
【００１１】
図１に示すように、電子マネー精算システム１は、電子マネー機能付きのＩＣカード１０や電子マネー機能付きの携帯端末２０、チャージ精算端末あるいはレジ端末３０、チャージ精算端末あるいはレジ端末３０と通信網６０を介して接続されたサーバ４０等で構成される。
電子マネー機能付きの携帯端末２０は、例えば、電子マネー機能付きのＩＣカードが内蔵された携帯電話等である。
チャージ端末あるいはレジ端末３０は、電子マネー機能付きのＩＣカード１０や携帯端末２０のデータを読んだり、データを書きこむリーダ/ライタを有する。
【００１２】
通常、チャージ精算端末３０でチャージを行なう場合には、ＩＣカード１０または携帯端末２０をチャージ端末精算３０のリーダ/ライタにかざすことにより、チャージ精算端末３０がＩＣカード１０または携帯端末２０のカード識別コードを読み込む。
チャージ精算端末３０は、通信網６０を介してサーバ４０にアクセスし、サーバ４０は、サーバ４０に記録されているＩＣカード１０または携帯端末２０の残額をチャージ精算端末３０に送る。チャージ精算端末３０は、サーバ４０から送られてきた残額を表示する。
尚、ここでは、残額がサーバ４０に記録されていることとして説明したが、サーバ４０に残額を記録するのではなく、ＩＣカード１０または携帯端末２０に記憶させるようにしてもよい。
ユーザが、チャージ金額をチャージ端末３０に挿入すると、チャージ精算端末３０は、ＩＣカード１０または携帯端末２０にリーダ/ライタにより新たな残額を書きこむとともに、通信網６０を介して、チャージ金額をサーバ４０に送る。
サーバ４０は、チャージ金額を以前の残額に加算し、新たな残額として記憶する。
【００１３】
本実施形態のチャージ精算端末３０は、端末側払戻手段３１０を有し、サーバ４０は、サーバ側払戻手段４１０を有する。
チャージ精算端末３０は、ＩＣカード１０または電子マネー付き携帯電話２０のユーザが残額の払戻を要求した場合に、払戻要求を通信網６０を介してサーバ４０に送り、サーバ４０のサーバ側払戻手段４１０とのやり取りにより決定された払戻金額をユーザに払い戻す処理を行う。
サーバ側払戻手段４１０は、チャージ精算端末３０の端末側払戻手段３１０により送られる払戻要求を受信し、ＩＣカード１０または電子マネー付き携帯電話２０の残額から払戻可能金額や手数料を決定し、チャージ精算端末３０に提示するとともに、実際の払戻金額から残額を更新するとともに、手数料額を管理する。
【００１４】
図２は、電子マネー機能付きのＩＣカード１０の説明図である。電子マネー機能付きの携帯端末２０の場合、携帯端末２０内にＩＣカード１０が内蔵されている。
図２（ａ）は、ＩＣカード１０の内部構成例を示す図である。
ＩＣカード１０内には、レジ端末またはチャージ端末３０のリーダ/ライタと通信を行うための電磁誘導用のアンテナ１３と、制御用ＩＣチップ１１が内蔵されている。
【００１５】
図２（ｂ）は、ＩＣカード１０内の制御用ＩＣチップ１１の構成図である。
同図に示すように、制御用ＩＣチップ１１は、例えば、ＣＰＵ（Ｃｅｎｔｒａｌ  Ｐｒｏｃｅｓｓｉｎｇ  Ｕｎｉｔ）１１１、ＲＯＭ（Ｒｅａｄ  Ｏｎｌｙ  Ｍｅｍｏｒｙ）１１２、ＲＡＭ（Ｒａｎｄｏｍ  Ａｃｃｅｓｓ  Ｍｅｍｏｒｙ）１１３、送受信インタフェース１１５、情報記憶部１１７等がバス１１９で接続された構成である。
【００１６】
ＣＰＵ１１１は、ＲＯＭ１１２に格納されているプログラムをＲＡＭ１１３上のワークメモリ領域に呼び出して実行し、バス１１９を介して接続された各部分を駆動制御する。情報記憶部１１７は、例えばＲＡＭ等で構成され、ＩＣカード１０のカード識別コードや残額等の情報を格納する。送受信インタフェース１１５は、ＣＰＵ１１１によるプログラムの実行により制御され、情報記憶部１１７に格納されている情報をＩＣカード１０のアンテナ１３を介して送信したり、アンテナ１３を介して外部から受信した情報を受け取る。
【００１７】
図２（ｃ）は、情報記憶部１１７のデータ構成例を示す図である。
情報記憶部１１７には、例えば、カード識別コード４２１（例えば「ＡＡＡ」）と、残額４２３（例えば「３０００円」）が格納される。
【００１８】
図３は、レジ端末またはチャージ端末３０のハードウエア構成例を示す図である。
図３に示すように、レジ端末またはチャージ端末３０は、例えば、制御部３０１、記憶部３０２、現金処理部３０３、通信制御部３０４、入出力インタフェース３０６、表示部３０７、入力部３０８、印刷部３０９等がバス３００を介して接続されて構成される。入出力インタフェース３０６には、ＩＣカード・リーダ/ライタ３０５が接続されている。
【００１９】
制御部３０１は、ＣＰＵ、ＲＯＭ、ＲＡＭ等で構成される。
ＣＰＵは、記憶部３０２、ＲＯＭ、記録媒体等に格納されるプログラムをＲＡＭ上のワークメモリ領域に呼び出して実行し、バス３００を介して接続された各装置を駆動制御し、買い物の清算処理や、ＩＣカード１０または携帯端末２０へのチャージ処理を実行する。
ＲＯＭは、コンピュータのブートプログラムやＢＩＯＳ等のプログラム、データ等を恒久的に保持し、ＲＡＭは、ロードしたプログラムやデータを一時的に保持するとともに、制御部３０１が各種処理を行なうために使用するワークエリアを備える。
【００２０】
記憶部３０２は、ＨＤＤ（ハードディスクドライブ）等であり、制御部３０１が実行するプログラムや、プログラム実行に必要なデータ、ＯＳ（オペレーティング・システム）等が格納されている。本実施の形態の端末側払戻手段３１０はプログラムとして記憶部３０２に格納されており、これらのプログラムコードは、制御部３０１により必要に応じて読み出されてＲＡＭに移され、ＣＰＵに読み出されて実行される。
【００２１】
現金処理部３０３は、例えば、紙幣の受け入れ口および支払い口、紙幣識別機（ビルバリ）等で構成され、ＩＣカード１０や電子マネー付き携帯電話２０へのチャージ時や、本実施の形態の払戻し時に紙幣の入出力を行う。
また、硬貨の受け入れ口および支払い口も設け、チャージや精算においてコインを使用可能にしてもよい。
【００２２】
通信制御部３０４は、通信制御装置、通信ポート等を有し、通信網６０との通信を媒介する通信インタフェースであり、通信制御を実行する。
入出力インタフェース３０６は、ＩＣカード・リーダ/ライタ３０５に接続され、ＩＣカード・リーダ/ライタ３０５によるデータの読み込み/書込みを制御する。
【００２３】
表示部３０７は、液晶パネル、ＣＲＴモニタ等のディスプレイ装置と、ディスプレイ装置と連携して表示処理を実行するための論理回路（ビデオアダプタ等）で構成される。
入力部３０８は、例えば、キーボード、マウス等のポインティング・デバイス、テンキー等の入力装置であり、データの入力を行う。
印刷部３０９は、プリンタであり、例えば、レシート等の印刷処理を行う。
【００２４】
図４は、サーバ４０のハードウエア構成図である。
サーバ４０は、電子マネー機能付きのＩＣカード１０または携帯端末２０の管理センター等に設置されており、各ＩＣカード１０または携帯端末２０の使用状況や残額等の管理を行う。
【００２５】
サーバ４０は、例えば、制御部４０１、記憶部４０２、メディア入出力部４０３、通信制御部４０４、入力部４０５、印刷部４０６、表示部４０７等がバス４０８を介して接続されて構成される。
【００２６】
ＣＰＵは、記憶部４０２、ＲＯＭ、記録媒体等に格納されるプログラムをＲＡＭ上のワークメモリ領域に呼び出して実行し、バス４０８を介して接続された各装置を駆動制御する。
ＲＯＭは、コンピュータのブートプログラムやＢＩＯＳ等のプログラム、データ等を恒久的に保持し、ＲＡＭは、ロードしたプログラムやデータを一時的に保持するとともに、制御部４０１が各種処理を行なうために使用するワークエリアを備える。
【００２７】
記憶部４０２は、ＨＤＤ（ハードディスクドライブ）であり、制御部４０１が実行するプログラムや、プログラム実行に必要なデータ、ＯＳ（オペレーティング・システム）等が格納されている。これらのプログラムコードは、制御部４０１により必要に応じて読み出されてＲＡＭに移され、ＣＰＵに読み出されて各種の手段として実行される。
本実施の形態のサーバ側払戻手段４１０は、プログラムとしてこの記憶部４０２に格納されており、制御部４０１により必要に応じて読み出されてＲＡＭに移され、ＣＰＵに読み出されて各種の手段として実行される。
【００２８】
メディア入出力部４０３（ドライブ装置）は、例えば、フロッピー（登録商標）ディスクドライブ、ＰＤドライブ、ＣＤドライブ、ＤＶＤドライブ、ＭＯドライブ等のメディア入出力装置であり、データの入出力を行なう。
【００２９】
通信制御部４０４は、通信制御装置、通信ポート等を有し、通信網６０との通信を媒介する通信インタフェースであり、通信制御を実行する。
入力部４０５は、例えば、キーボード、マウス等のポインティング・デバイス、テンキー等の入力装置であり、データの入力を行う。
印刷部４０６は、プリンタであり、例えば、レシート等の印刷処理を行う。
表示部４０７は、液晶パネル、ＣＲＴモニタ等のディスプレイ装置と、ディスプレイ装置と連携して表示処理を実行するための論理回路（ビデオアダプタ等）で構成される。
【００３０】
次に、本実施の形態の端末側払戻手段３１０およびサーバ側払戻手段４１０の動作について、図５に沿って説明する。
図５は、端末側払戻手段３１０およびサーバ側払戻手段４１０の処理の流れを示すフローチャートである。また、図６は、サーバ４０の記憶部４０２に格納されるカード情報データベース４２０および手数料データベース４３０のデータ構成例を示す図、図７は、チャージ精算端末３０の表示部３０７に表示される払戻し画面例である。
【００３１】
図６（ａ）に示すように、サーバ４０の記憶部４０２のカード情報データベース４２０には、ＩＣカード１０および携帯端末２０のカード識別コード４２１と残額４２３が格納されている。
通常、図２（ｃ）に示したように、ＩＣカード１０および携帯端末２０の情報記憶部１１７にも、カード識別コード４２１とともに残額４２３が書き込まれ、記憶されているが、ＩＣカード１０や携帯端末２０の不具合や不正による残額の改ざん等からシステムを保護するため、サーバ４０のカード情報データベース４２０に格納されている残額４２３が優先される。
【００３２】
図６（ａ）の例では、カード識別コード４２１が「ＡＡＡ」のＩＣカード１０の残額４２７は３０００円、カード識別コード４２１が「ＢＢＢ」のＩＣカード１０の残額は３万５０００円、カード識別コード４２１が「ＣＣＣ」のＩＣカード１０の残額は３３３円である。
【００３３】
ＩＣカード１０（携帯電話２０の場合も同様であるが、以下、記述を省略する）のユーザがチャージ精算端末３０のＩＣカード・リーダ/ライト部３０５にＩＣカード１０を挿入または近づけることにより、チャージ精算端末３０の制御部３０１は、表示部３０７に処理の内容を選択するための処理選択画面（例えば、チャージまたは払戻を選択させる画面）を表示する（ステップ３５０）。
【００３４】
図７（ａ）は、処理選択画面例５０１である。ユーザが払戻以外の処理を選択した場合（ステップ３５１のＮｏ）、チャージ精算端末３０の制御部３０１は、処理を終了する。
一方、ユーザが払戻の処理を選択した場合（ステップ３５１のＹｅｓ）には、制御部３０１は、ＩＣカード・リーダ/ライタ３０５によりＩＣカード１０のカード識別コード４２１を読み込む（ステップ３５２）。
【００３５】
次に、制御部３０１は、サーバ４０に通信網６０を介してアクセスし、カード識別コード４２１とともに、払戻要求を示す信号を送る（ステップ３５３）。
【００３６】
サーバ４０の制御部４０１は、まず、カード情報データベース４２０を検索し、受信したカード識別コード４２１についての残額４２３を読み出し、残額４２３および払戻可能な金額および手数料のデータをチャージ精算端末３０に送る（ステップ４５０）。
【００３７】
ここで、手数料のデータは、サーバ４０の記憶部４０２に予め格納しておく。
手数料は、例えば、一定額（例えば０円、３１５円等）または、払戻額に対して一定の割合（例えば３％）など、予め定めておく。
また、払戻可能な金額は、例えば、チャージ精算端末３０が紙幣のみ使用可能な場合には１０００円単位になる。
【００３８】
１０００円単位の払戻を可能とし、手数料が一定額の３１５円の場合、払戻可能な金額は、手数料の３１５円を残額４２３から差し引き、１０００円未満を切り捨てた額となる。
すなわち、図６（ａ）のカード識別コード４２１「ＡＡＡ」の場合の払戻可能な金額は２０００円、「ＢＢＢ」では３万４０００円、「ＣＣＣ」では０円となる。
【００３９】
一方、１０００円単位の払戻を可能とし、手数料を払戻額に対する一定割合（例えば３％）とする場合には、残額４２３に対する一定割合（例えば３％）が最大の手数料となり、その手数料額を残額から差し引き、１０００円未満を切り捨てた額が払戻し可能な金額となる。
ずなわち、図６（ａ）のカード識別コード４２１「ＡＡＡ」の場合の払戻可能な金額は２０００円、「ＢＢＢ」では３万３０００円、「ＣＣＣ」では０円となる。
【００４０】
チャージ精算端末３０は、残額４２３と手数料（一定額の場合、例えば３１５円、一定割合の場合、例えば３％等）および払戻可能な金額のデータを受け取り、表示部３０７に表示し、ユーザに払戻額を入力させる（ステップ３５４）。
図７（ｂ）の画面例２（５０２）は、払戻額入力画面の例である。カード識別コード４２１が「ＡＡＡ」のＩＣカード１０について示している。
すなわち、残額４２３が３０００円であり、３％の手数料が差し引かれ、払戻可能な金額が２０００円であることが表示される。
そして、実際の払戻額をユーザに入力させる。
【００４１】
ユーザが払戻額を入力すると、次に、制御部３０１は、表示部３０７に入力した払戻額と払戻額に対する手数料を表示し、ユーザに確認させる（ステップ３５５）。
図７（ｃ）の画面例３（５０３）は、確認画面の例である。
ユーザが払戻額として２０００円を入力し、その手数料が３％の６０円であることを示している。
【００４２】
ユーザが確認画面で確認ボタンを押すと、チャージ精算端末３０の制御部３０１は、通信網を介してサーバ４０にアクセスし、払戻額４２５（２０００円）および手数料額４３３（６０円）を送る（ステップ３５６）。
【００４３】
サーバ４０の制御部４０１は、チャージ精算端末３０からカード識別コード４２１ご払戻額４２５、手数料額４３３を受け取り、カード情報データベース４２０のカード識別コード４２１についての残額４２３を更新する（ステップ４５１）。
すなわち、残額４２３から払戻額４２５と手数料額４３３を差し引いた額を残額４２３として格納する。
カード識別コード４２１「ＡＡＡ」の場合、残額４２３の３０００円から払戻額４２５（２０００円）および手数料額４３３（６０円）を差し引いた９４０円が残額４２３となる。
【００４４】
サーバ４０の制御部４０１は、次に、記憶部４０２に設けられている手数料データベース４３０に手数料額４３３を格納し、処理を終了する（ステップ４５２）。
すなわち、カード識別コード４２１「ＡＡＡ」から手数料額４３３として６０円を徴収した旨を格納する。このとき、手数料取得日時４３１および手数料合計額４３７も格納するようにするとよい。
【００４５】
チャージ精算端末３０の制御部３０１は、ステップ３５６の処理後、ＩＣカード・リーダ/ライタ３０５によりＩＣカード１０の情報記憶部１１７の残額４２３を更新する（ステップ３５７）。
すなわち、カード識別コード４２１「ＡＡＡ」の場合、残額４２３から払戻額４２５（２０００円）および手数料額４３３（６０円）を差し引いた９４０円を残額４２３として書き込む。
【００４６】
最後に、チャージ精算端末３０の制御部３０１は、現金処理部２０３を駆動し、払戻額４２５を払い出し（ステップ３５８）処理を終了する。
【００４７】
以上のように、本実施の形態の電子マネー精算システム１により、ＩＣカード１０に一旦チャージしたお金を払い戻すことが可能になる。また、手数料を設定することにより、払戻しに対して手数料を課し、サーバ４０で管理することが可能になる。
以上の説明では、１０００円単位の払戻しについて説明したが、硬貨を排出する機能を設けることにより、１０００円未満の金額でも払戻しを行うようにしてもよい。
【００４８】
また、サーバ４０のサーバ側払戻手段４１０が、払戻可能な金額や手数料のデータを送るだけでなく、チャージ精算端末３０の表示部３０７に表示する画面データ（例えば、図７）もサーバ側払戻手段４１で作成し、チャージ精算端末３０に送るようにしてもよい。
【００４９】
尚、本発明は、前述した実施の形態に限定されるものではなく、種々の改変が可能であり、それらも、本発明の技術範囲に含まれる。
例えば、チャージ精算端末３０と、通信網６０およびサーバ４０によって構成するのではなく、チャージ精算端末３０のみで構成することも可能である。これは、例えば、ＩＣカード１０または電子マネー付き携帯電話２０の残額４２３が、ＩＣカード１０または携帯電話２０のみに記憶されていて、サーバ４０には記憶されていない場合に有効である。
すなわち、チャージ精算端末３０が、ＩＣカード１０または電子マネー付き携帯端末２０の情報記憶部１１７に格納されている残額４２３を読み込み、払戻可能な金額および手数料を表示し、ユーザに払戻額４２５を入力させ、払戻額４２５を払い出すとともに、ＩＣカード１０または電子マネー付き携帯端末２０の情報記憶部１１７の残額４２３を更新するようにしてもよい。これによって、サーバ４０を介することなく、チャージ額を精算することが可能になる。
【図面の簡単な説明】
【００５０】
【図１】本実施の形態の電子マネー精算システム１の構成を示す図
【図２】ＩＣカード１０の構成を示す図
【図３】チャージ精算端末（レジ端末）３０のハードウエア構成図
【図４】サーバ４０のハードウエア構成図
【図５】端末側払戻し手段３１０およびサーバ側払戻手段４１０の処理の流れを示すフローチャート
【図６】サーバ４０の記憶部４０２に記憶するカード情報データベース４２０および手数料データベース４３０の構成図
【図７】チャージ精算端末３０の表示部３０７の画面例を示す図
【符号の説明】
【００５１】
１………電子マネー精算システム
１０………ＩＣカード
２０………携帯端末
３０………チャージ精算端末（レジ端末）
４０………サーバ
３１０………端末側払戻手段
４１０………サーバ側払戻手段
【図１】
2010086134.tif 000003
【図２】
2010086134.tif 000004
【図３】
2010086134.tif 000005
【図４】
2010086134.tif 000006
【図５】
2010086134.tif 000007
【図６】
2010086134.tif 000008
【図７】
2010086134.tif 000009